(57)【要約】  【課題】より利便性を高めた、端末間の画像データの送受信を行う。  【解決手段】サーバーは、端末ごとに、該端末の送信リスト、受信リスト、及び送信元のブラックリストを記憶する。送信端末は、送信リストに送信データの送信情報を追加するとともに、送信データをサーバーに送る。サーバーは、送信端末から送られた送信データを記憶するとともに、送信リストに追加された送信情報に対応する受信情報を送信データの宛先の受信端末の受信リストに追加する。サーバーは、送信情報に対応する送信データの送信元が受信端末のブラックリストに登録されてない場合、受信情報を受信端末に送信する。受信端末は、受信リストに追加された受信情報に対応する送信データをサーバーから取得する。【選択図】図１
2012039205.tif 000002
【特許請求の範囲】
【請求項１】
複数の端末間のデータを中継するサーバーであって、
端末ごとに、該端末が受信する受信データに関する受信情報を含む第１リストと、該端
末が受信データの受信を制限する端末の識別情報を含む第２リストとを取得するリスト取
得部と、
端末から送信データを受信するデータ受信部と、
受信した送信データを記憶するデータ記憶部と、
前記データ記憶部が記憶した送信データを宛先の端末に送信するデータ送信部と、
前記データ受信部が送信データを受信した場合に、該送信データの宛先の端末の第１リ
ストに該送信データに対応する受信データの受信情報を追加し、該送信データの送信元の
端末の識別情報が前記宛先の端末の第２リストに含まれている場合、前記受信情報を宛先
の端末の第１リストから削除し、該送信データの送信元の端末の識別情報が前記宛先の端
末の第２リストに含まれてない場合、該送信データの宛先の端末への送信を許可する、リ
スト変更部と、
を備えることを特徴とするサーバー。
【請求項２】
複数の端末間のデータを中継するサーバーであって、
端末ごとに、該端末が受信する受信データに関する受信情報を含む第１リストと、該端
末が受信データの受信を制限する端末の識別情報を含む第２リストとを取得するリスト取
得部と、
端末から送信データを受信するデータ受信部と、
受信した送信データを記憶するデータ記憶部と、
前記データ記憶部が記憶した送信データを宛先の端末に送信するデータ送信部と、
送信データの宛先の端末の第２リストに識別情報が記録されていない送信元の端末から
送信データを受信した場合に、前記宛先の端末の第１リストに前記送信データに対応する
受信データの受信情報を追加し、送信データの宛先の端末の第２リストに識別情報が記録
されている送信元の端末から送信データを受信した場合に、前記宛先の端末の第１リスト
に前記送信データに対応する受信データの受信情報を追加しない、リスト変更部と、
を備えることを特徴とするサーバー。
【請求項３】
請求項１又は２に記載のサーバーであって、
端末からの要求に応じて、該端末の第２リストを該端末に送信するリスト送信部と、
端末から第２リストを受信して、該端末の第２リストを更新するリスト更新部と、
を備えることを特徴とするサーバー。
【請求項４】
コンピューターを、複数の端末間のデータを中継するサーバーとして機能させるプログ
ラムであって、
端末ごとに、該端末が受信する受信データに関する受信情報を含む第１リストと、該端
末が受信データの受信を制限する端末の識別情報を含む第２リストとを取得するリスト取
得部と、
端末から送信データを受信するデータ受信部と、
受信した送信データを記憶するデータ記憶部と、
前記データ記憶部が記憶した送信データを宛先の端末に送信するデータ送信部と、
送信データの宛先の端末の第２リストに識別情報が記録されていない送信元の端末から
送信データを受信した場合に、前記宛先の端末の第１リストに前記送信データに対応する
受信データの受信情報を追加し、送信データの宛先の端末の第２リストに識別情報が記録
されている送信元の端末から送信データを受信した場合に、前記宛先の端末の第１リスト
に前記送信データに対応する受信データの受信情報を追加しない、リスト変更部と、
として機能させることを特徴とするプログラム。
【請求項５】
複数の端末間のデータを中継するサーバーにおけるデータ中継方法であって、
端末ごとに、該端末が受信する受信データに関する受信情報を含む第１リストと、該端
末が受信データの受信を制限する端末の識別情報を含む第２リストとを取得するリスト取
得ステップと、
端末から送信データを受信するデータ受信ステップと、
受信した送信データを記憶するデータ記憶ステップと、
前記データ記憶ステップで記憶した送信データを宛先の端末に送信するデータ送信ステ
ップと、
送信データの宛先の端末の第２リストに識別情報が記録されていない送信元の端末から
送信データを受信した場合に、前記宛先の端末の第１リストに前記送信データに対応する
受信データの受信情報を追加し、送信データの宛先の端末の第２リストに識別情報が記録
されている送信元の端末から送信データを受信した場合に、前記宛先の端末の第１リスト
に前記送信データに対応する受信データの受信情報を追加しない、リスト変更ステップと
、
を含むことを特徴とするデータ中継方法。
【請求項６】
サーバーを介して端末間でデータの送受信を行う端末であって、
該端末が受信する受信データに関する受信情報を含む第１リストと、該端末が受信デー
タの受信を制限する端末の識別情報を含む第２リストとを取得するリスト取得部と、
前記第１リストに含まれる受信情報に対応する受信データを前記サーバーから受信する
データ受信部と、
前記第１リストに含まれる受信情報に対応する受信データの送信元の端末の識別情報が
前記第２リストに記録されている場合、該受信情報を削除して該受信データの受信を禁止
し、前記送信元の端末の識別情報が前記第２リストに記録されていない場合、該受信デー
タの受信を許可する、リスト変更部と、
を備えることを特徴とする端末。
【請求項７】
複数の端末と、前記複数の端末間のデータを中継するサーバーとを備えるデータ通信シ
ステムであって、
前記サーバーは、
端末ごとに、該端末が送信するデータに関するステータスを含む送信情報を記録する第
１リストと、該端末が受信するデータに関するステータスを含む受信情報を記録する第２
リストと、該端末がデータの受信を制限する端末の識別情報を記録する第３リストとを取
得するリスト取得手段と、
前記端末から送信されたデータを記憶するデータ記憶手段と、を有し、
前記データ送信元の第１端末は、
データの送信情報を前記サーバーに送信する送信情報送信手段と、
前記データを前記サーバーに送信するデータ送信手段と、を有し、
前記サーバーは、さらに、
前記第１端末から送信された送信情報を受信する送信情報受信手段と、
受信した前記送信情報を前記第１端末の第１リストに追加するとともに、該送信情報に
対応するデータの宛先の端末の第２リストに該データの受信情報を追加し、前記第２リス
トに追加した受信情報に対応するデータの送信元の端末の識別情報が、該データの宛先の
端末の第３リストに含まれるか否かを判定し、該識別情報が該第３リストに含まれる場合
、前記受信情報のステータスを受信が制限されたことを示す値に更新する、リスト変更手
段と、
前記受信情報のステータスが受信が制限されたことを示す値でない場合に、該受信情報
に対応するデータの宛先の端末に該受信情報を送信する受信情報送信手段と、
前記第１端末から送信されたデータを受信して前記データ記憶手段に記憶するデータ受
信手段と、を有する、
ことを特徴とするデータ通信システム。
【請求項８】
請求項７に記載のデータ通信システムであって、
前記データの宛先の第２端末は、
前記サーバーから送信された受信情報を受信する受信情報受信手段と、
受信した前記受信情報に対応するデータを前記サーバーから取得するデータ取得手段と
、
前記受信情報のステータスを受信が完了したことを示す値に変更する受信情報変更手段
と、
前記受信情報を前記サーバーに送信する受信情報送信手段と、を有し、
前記サーバーは、さらに、
前記第２端末から送信された前記受信情報を受信する受信情報受信手段を有し、
前記リスト変更手段は、
受信した前記受信情報のステータスに基づいて、前記第２端末の第２リストに記録され
ている対応する受信情報のステータスを受信が完了したことを示す値に更新するとともに
、受信した前記受信情報に対応するデータの送信元の端末の第１リストの対応する送信情
報のステータスを送信が完了したことを示す値に更新する、
ことを特徴とするデータ通信システム。
【請求項９】
複数の端末と、前記複数の端末間のデータを中継するサーバーとを備えるデータ通信シ
ステムにおける、データ通信方法であって、
前記サーバーは、
端末ごとに、該端末が送信するデータに関するステータスを含む送信情報を記録する第
１リストと、該端末が受信するデータに関するステータスを含む受信情報を記録する第２
リストと、該端末がデータの受信を制限する端末の識別情報を記録する第３リストとを取
得するステップを実行し、
前記データ送信元の第１端末は、
データの送信情報を前記サーバーに送信するステップと、
前記データを前記サーバーに送信するステップと、を実行し、
前記サーバーは、さらに、
前記第１端末から送信された送信情報を受信するステップと、
受信した前記送信情報を前記第１端末の第１リストに追加するとともに、該送信情報に
対応するデータの宛先の端末の第２リストに該データの受信情報を追加するステップと、
前記第２リストに追加した受信情報に対応するデータの送信元の端末の識別情報が、該
データの宛先の端末の第３リストに含まれるか否かを判定するステップと、
該識別情報が該第３リストに含まれる場合に、前記受信情報のステータスを受信が制限
されたことを示す値に更新するステップと、
前記受信情報のステータスが受信が制限されたことを示す値でない場合に、該受信情報
に対応するデータの宛先の端末に該受信情報を送信するステップと、
前記第１端末から送信されたデータを受信して記憶するステップと、を実行する、
ことを特徴とするデータ通信方法。
【請求項１０】
請求項９に記載のデータ通信システムであって、
前記データの宛先の第２端末は、
前記サーバーから送信された受信情報を受信するステップと、
受信した前記受信情報に対応するデータを前記サーバーから取得するステップと、
前記受信情報のステータスを受信が完了したことを示す値に変更するステップと、
前記受信情報を前記サーバーに送信するステップと、を実行し、
前記サーバーは、さらに、
前記第２端末から送信された前記受信情報を受信するステップと、
受信した前記受信情報のステータスに基づいて、前記第２端末の第２リストに記録され
ている対応する受信情報のステータスを受信が完了したことを示す値に更新するとともに
、受信した前記受信情報に対応するデータの送信元の端末の第１リストの対応する送信情
報のステータスを送信が完了したことを示す値に更新するステップと、を実行する、
ことを特徴とするデータ通信方法。
【発明の詳細な説明】
【技術分野】
【０００１】
本発明は、ネットワークを介したデータ通信に関し、特に、ネットワークを介して端末
間で画像データを送受信する技術に関する。
【背景技術】
【０００２】
インターネット等のネットワークを利用して写真や文書などの画像データを複数のユー
ザーが共有するための仕組み（以下、「データ共有システム」とも呼ぶ。）が知られてい
る。この仕組みの一例として、例えば、フォトシェアリングサイトと呼ばれるものがある
。このフォトシェアリングサイトおいては、例えば、ユーザーはＰＣ（Personal Compute
r）で動作するＷＥＢブラウザー等のアプリケーションを操作することにより、ＷＥＢ上
のフォトシェアリングサイトにアクセスすることができる。ユーザーは、ＷＥＢブラウザ
ーを操作してフォトシェアリングサイトに画像データをアップロードすることができる。
また、ユーザーは、ＷＥＢブラウザーを操作してフォトシェアリングサイトにアップロー
ドされている画像データを閲覧することができる。
【０００３】
また、電話回線網と通信を行う機能と、ＬＡＮやインターネット等のＩＰネットワーク
と通信を行う機能との両方を有し、ＩＰネットワークを介して受信する電子メールにより
ファクシミリの送信の依頼をユーザーの端末から受け付け、電話回線網を介して接続され
ている他のファクシミリ装置に画像データを送信する、ネットワークファクシミリが知ら
れている（例えば、特許文献１）。
【先行技術文献】
【特許文献】
【０００４】
【特許文献１】特開２００２−１０８７７２号公報
【発明の概要】
【発明が解決しようとする課題】
【０００５】
ところで、利便性などの観点から、インターネット等のネットワークを介してファクシ
ミリのように特定の宛先に画像データを送信したい、という要望がある。
【０００６】
しかし、上述したＷＥＢベースのデータ共有システムは、あくまでもデータの共有を目
的としている仕組みである。そのため、特定のユーザーに対して画像データを送信する仕
組みは考慮されておらず、当然その仕組みを備えていない。また、上述したネットワーク
ファクシミリは、電子メールで依頼を受け付ける機能以外は、従来と同様の、電話回線網
を用いたファクシミリである。そのため、当該ファクシミリをデータ共有システムに適用
することはできない。
【０００７】
本発明は、より利便性を高めた、端末間の画像データの送受信を行うことを目的とする
。
【課題を解決するための手段】
【０００８】
上記の課題を解決するための本発明の第一の態様は、
複数の端末間のデータを中継するサーバーであって、
端末ごとに、該端末が受信する受信データに関する受信情報を含む第１リストと、該端
末が受信データの受信を制限する端末の識別情報を含む第２リストとを取得するリスト取
得部と、
端末から送信データを受信するデータ受信部と、
受信した送信データを記憶するデータ記憶部と、
前記データ記憶部が記憶した送信データを宛先の端末に送信するデータ送信部と、
前記データ受信部が送信データを受信した場合に、該送信データの宛先の端末の第１リ
ストに該送信データに対応する受信データの受信情報を追加し、該送信データの送信元の
端末の識別情報が前記宛先の端末の第２リストに含まれている場合、前記受信情報を宛先
の端末の第１リストから削除し、該送信データの送信元の端末の識別情報が前記宛先の端
末の第２リストに含まれてない場合、該送信データの宛先の端末への送信を許可する、リ
スト変更部と、
を備えることを特徴とする。
【０００９】
上記の課題を解決するための本発明の第二の態様は、
複数の端末間のデータを中継するサーバーであって、
端末ごとに、該端末が受信する受信データに関する受信情報を含む第１リストと、該端
末が受信データの受信を制限する端末の識別情報を含む第２リストとを取得するリスト取
得部と、
端末から送信データを受信するデータ受信部と、
受信した送信データを記憶するデータ記憶部と、
前記データ記憶部が記憶した送信データを宛先の端末に送信するデータ送信部と、
送信データの宛先の端末の第２リストに識別情報が記録されていない送信元の端末から
送信データを受信した場合に、前記宛先の端末の第１リストに前記送信データに対応する
受信データの受信情報を追加し、送信データの宛先の端末の第２リストに識別情報が記録
されている送信元の端末から送信データを受信した場合に、前記宛先の端末の第１リスト
に前記送信データに対応する受信データの受信情報を追加しない、リスト変更部と、
を備えることを特徴とする。
【００１０】
ここで、上記のいずれかのサーバーであって、
端末からの要求に応じて、該端末の第２リストを該端末に送信するリスト送信部と、
端末から第２リストを受信して、該端末の第２リストを更新するリスト更新部と、
を備えることを特徴としていてもよい。
【００１１】
上記の課題を解決するための本発明の第三の態様は、
コンピューターを、複数の端末間のデータを中継するサーバーとして機能させるプログ
ラムであって、
端末ごとに、該端末が受信する受信データに関する受信情報を含む第１リストと、該端
末が受信データの受信を制限する端末の識別情報を含む第２リストとを取得するリスト取
得部と、
端末から送信データを受信するデータ受信部と、
受信した送信データを記憶するデータ記憶部と、
前記データ記憶部が記憶した送信データを宛先の端末に送信するデータ送信部と、
送信データの宛先の端末の第２リストに識別情報が記録されていない送信元の端末から
送信データを受信した場合に、前記宛先の端末の第１リストに前記送信データに対応する
受信データの受信情報を追加し、送信データの宛先の端末の第２リストに識別情報が記録
されている送信元の端末から送信データを受信した場合に、前記宛先の端末の第１リスト
に前記送信データに対応する受信データの受信情報を追加しない、リスト変更部と、
として機能させることを特徴とする。
【００１２】
上記の課題を解決するための本発明の第四の態様は、
複数の端末間のデータを中継するサーバーにおけるデータ中継方法であって、
端末ごとに、該端末が受信する受信データに関する受信情報を含む第１リストと、該端
末が受信データの受信を制限する端末の識別情報を含む第２リストとを取得するリスト取
得ステップと、
端末から送信データを受信するデータ受信ステップと、
受信した送信データを記憶するデータ記憶ステップと、
前記データ記憶ステップで記憶した送信データを宛先の端末に送信するデータ送信ステ
ップと、
送信データの宛先の端末の第２リストに識別情報が記録されていない送信元の端末から
送信データを受信した場合に、前記宛先の端末の第１リストに前記送信データに対応する
受信データの受信情報を追加し、送信データの宛先の端末の第２リストに識別情報が記録
されている送信元の端末から送信データを受信した場合に、前記宛先の端末の第１リスト
に前記送信データに対応する受信データの受信情報を追加しない、リスト変更ステップと
、
を含むことを特徴とする。
【００１３】
上記の課題を解決するための本発明の第五の態様は、
サーバーを介して端末間でデータの送受信を行う端末であって、
該端末が受信する受信データに関する受信情報を含む第１リストと、該端末が受信デー
タの受信を制限する端末の識別情報を含む第２リストとを取得するリスト取得部と、
前記第１リストに含まれる受信情報に対応する受信データを前記サーバーから受信する
データ受信部と、
前記第１リストに含まれる受信情報に対応する受信データの送信元の端末の識別情報が
前記第２リストに記録されている場合、該受信情報を削除して該受信データの受信を禁止
し、前記送信元の端末の識別情報が前記第２リストに記録されていない場合、該受信デー
タの受信を許可する、リスト変更部と、
を備えることを特徴とする。
【００１４】
上記の課題を解決するための本発明の第六の態様は、
複数の端末と、前記複数の端末間のデータを中継するサーバーとを備えるデータ通信シ
ステムであって、
前記サーバーは、
端末ごとに、該端末が送信するデータに関するステータスを含む送信情報を記録する第
１リストと、該端末が受信するデータに関するステータスを含む受信情報を記録する第２
リストと、該端末がデータの受信を制限する端末の識別情報を記録する第３リストとを取
得するリスト取得手段と、
前記端末から送信されたデータを記憶するデータ記憶手段と、を有し、
前記データ送信元の第１端末は、
データの送信情報を前記サーバーに送信する送信情報送信手段と、
前記データを前記サーバーに送信するデータ送信手段と、を有し、
前記サーバーは、さらに、
前記第１端末から送信された送信情報を受信する送信情報受信手段と、
受信した前記送信情報を前記第１端末の第１リストに追加するとともに、該送信情報に
対応するデータの宛先の端末の第２リストに該データの受信情報を追加し、前記第２リス
トに追加した受信情報に対応するデータの送信元の端末の識別情報が、該データの宛先の
端末の第３リストに含まれるか否かを判定し、該識別情報が該第３リストに含まれる場合
、前記受信情報のステータスを受信が制限されたことを示す値に更新する、リスト変更手
段と、
前記受信情報のステータスが受信が制限されたことを示す値でない場合に、該受信情報
に対応するデータの宛先の端末に該受信情報を送信する受信情報送信手段と、
前記第１端末から送信されたデータを受信して前記データ記憶手段に記憶するデータ受
信手段と、を有する、
ことを特徴とする。
【００１５】
ここで、上記のデータ通信システムであって、
前記データの宛先の第２端末は、
前記サーバーから送信された受信情報を受信する受信情報受信手段と、
受信した前記受信情報に対応するデータを前記サーバーから取得するデータ取得手段と
、
前記受信情報のステータスを受信が完了したことを示す値に変更する受信情報変更手段
と、
前記受信情報を前記サーバーに送信する受信情報送信手段と、を有し、
前記サーバーは、さらに、
前記第２端末から送信された前記受信情報を受信する受信情報受信手段を有し、
前記リスト変更手段は、
受信した前記受信情報のステータスに基づいて、前記第２端末の第２リストに記録され
ている対応する受信情報のステータスを受信が完了したことを示す値に更新するとともに
、受信した前記受信情報に対応するデータの送信元の端末の第１リストの対応する送信情
報のステータスを送信が完了したことを示す値に更新する、
ことを特徴としていてもよい。
【００１６】
上記の課題を解決するための本発明の第七の態様は、
複数の端末と、前記複数の端末間のデータを中継するサーバーとを備えるデータ通信シ
ステムにおける、データ通信方法であって、
前記サーバーは、
端末ごとに、該端末が送信するデータに関するステータスを含む送信情報を記録する第
１リストと、該端末が受信するデータに関するステータスを含む受信情報を記録する第２
リストと、該端末がデータの受信を制限する端末の識別情報を記録する第３リストとを取
得するステップを実行し、
前記データ送信元の第１端末は、
データの送信情報を前記サーバーに送信するステップと、
前記データを前記サーバーに送信するステップと、を実行し、
前記サーバーは、さらに、
前記第１端末から送信された送信情報を受信するステップと、
受信した前記送信情報を前記第１端末の第１リストに追加するとともに、該送信情報に
対応するデータの宛先の端末の第２リストに該データの受信情報を追加するステップと、
前記第２リストに追加した受信情報に対応するデータの送信元の端末の識別情報が、該
データの宛先の端末の第３リストに含まれるか否かを判定するステップと、
該識別情報が該第３リストに含まれる場合に、前記受信情報のステータスを受信が制限
されたことを示す値に更新するステップと、
前記受信情報のステータスが受信が制限されたことを示す値でない場合に、該受信情報
に対応するデータの宛先の端末に該受信情報を送信するステップと、
前記第１端末から送信されたデータを受信して記憶するステップと、を実行する、
ことを特徴とする。
【００１７】
ここで、上記のデータ通信システムであって、
前記データの宛先の第２端末は、
前記サーバーから送信された受信情報を受信するステップと、
受信した前記受信情報に対応するデータを前記サーバーから取得するステップと、
前記受信情報のステータスを受信が完了したことを示す値に変更するステップと、
前記受信情報を前記サーバーに送信するステップと、を実行し、
前記サーバーは、さらに、
前記第２端末から送信された前記受信情報を受信するステップと、
受信した前記受信情報のステータスに基づいて、前記第２端末の第２リストに記録され
ている対応する受信情報のステータスを受信が完了したことを示す値に更新するとともに
、受信した前記受信情報に対応するデータの送信元の端末の第１リストの対応する送信情
報のステータスを送信が完了したことを示す値に更新するステップと、を実行する、
ことを特徴としていてもよい。
【図面の簡単な説明】
【００１８】
【図１】本発明の第一実施形態の一例に係るデータ通信システムの概略構成を示すブロック図である。
【図２】複合機の機能構成の一例を示すブロック図である。
【図３】データ管理サーバーの機能構成の一例を示すブロック図である。
【図４】ユーザーデータベースの構成の一例を説明する図である。
【図５】送信及び受信ステータスの遷移の一例を説明する図である。
【図６】複合機のハードウェアの概略構成例を示すブロック図である。
【図７】データ管理サーバーのハードウェアの概略構成例を示すブロック図である。
【図８】データ送信処理の一例を示すシーケンス図である。
【図９】データ受信処理の一例を示すシーケンス図である。
【図１０】ブラックリスト更新処理の一例を示すシーケンス図である。
【発明を実施するための形態】
【００１９】
以下、本発明の第一実施形態の一例について、図面を参照して説明する。
【００２０】
図１は、本発明の第一実施形態の一例に係るデータ通信システムの概略構成を示すブロ
ック図である。
【００２１】
データ通信システム１は、複数の複合機２と、一以上のデータ管理サーバー５とを備え
る。複合機２は、ＬＡＮ（Local Area Network）３に接続されている。ＬＡＮ３は、イン
ターネット６に接続されている。データ管理サーバー５は、インターネット６に接続され
ている。インターネット６には、一以上のＳＩＰ（Session Initiation Protocol）サー
バー（「ＳＩＰプロキシーサーバー」とも呼ぶ。）４が接続されている。
【００２２】
複合機２とデータ管理サーバー５とは、一以上のＳＩＰサーバー４を介して互いにセッ
ション（「呼」とも呼ぶ。）を確立し（図中の矢印Ａ及びＢ）、当該セッション上でデー
タの送受信を行う。
【００２３】
複合機２とデータ管理サーバー５は、ＳＩＰによりセッションを確立後、当該セッショ
ン上で、ＨＴＴＰ（HyperText Transfer Protocol）を用いて互いにデータの送受信を行
う。もちろん、ＨＴＴＰの替わりに、例えば、ＨＴＴＰＳ（HTTP Security）などのプロ
トコルを用いてもよい。
【００２４】
複合機２は、スキャン機能、印刷機能、コピー機能などの通常の複合機が有する機能に
加え、スキャン等により入力された画像データやその他のデータを、ＳＩＰ及びＨＴＴＰ
を用いて、指定された宛先の装置（例えば、データ管理サーバー５）に送信する機能を有
する。フラッシュＲＯＭなどの持ち運び可能な記録媒体や複合機２の記憶装置に格納され
ているデータを送信するようにしてもよい。また、ＳＩＰ及びＨＴＴＰを用いて、指定さ
れた装置（例えば、データ管理サーバー５）から、画像データやその他のデータを受信す
る機能を有する。
【００２５】
データ管理サーバー５は、ＳＩＰ及びＨＴＴＰを用いて、他の装置（例えば、複合機２
）から画像データやその他のデータを受信し、記憶する。また、ＳＩＰ及びＨＴＴＰを用
いて、記憶している画像データやその他のデータを当該データの宛先の装置（例えば、複
合機２）に、送信する。
【００２６】
ＳＩＰサーバー４は、ＳＩＰに従って、端末（複合機２やデータ管理サーバー５）間の
呼接続、呼切断などを制御する。
【００２７】
以上がデータ通信システム１の概略構成例である。ただし、この構成は、本願発明の特
徴を説明するにあたって主要構成を説明したのであって、上記の構成に限られない。また
、一般的なデータ通信システムが備える構成を排除するものではない。例えば、画像デー
タを送信する端末は、複合機２に限られず、スキャナー装置、コピー機、デジタルカメラ
、スキャナー機能を有する携帯端末、撮影機能を有する携帯端末、などであってもよい。
【００２８】
図２は、複合機の機能構成の一例を示すブロック図である。
【００２９】
複合機２は、操作受付部２０と、読取制御部２１と、印刷制御部２２と、呼制御部２３
と、データ通信制御部２４とを有する。
【００３０】
なお、複合機２は、例えば図６に示すように、コントローラー２００と、操作パネル２
４０と、読取エンジン２５０と、印刷エンジン２６０と、ネットワークインターフェイス
（Ｉ／Ｆ）２７０とを有する一般的な複合機である。
【００３１】
コントローラー２００は、複合機２を統合的に制御するユニットであり、ＣＰＵ（Cent
ral Processing Unit）２１０、ＲＡＭ（Random Access Memory）２２０、及びＲＯＭ（R
ead Only Memory）２３０を有する。各種の画像処理を行うための画像処理回路を搭載し
ていてもよい。操作パネル２４０は、液晶ディスプレイ、タッチパネル、各種ハードスイ
ッチなどを備える。読取エンジン２５０は、コントローラー２００からの指示に基づいて
、セットされた原稿の読み取りを行い、コントローラー２００に読み取った画像データを
出力する機構である。印刷エンジン２６０は、コントローラー２００からの指示に基づい
て、コントローラー２００から出力される印刷データの印刷を行う機構である。ネットワ
ークＩ／Ｆ２７０は、ＬＡＮ等のネットワークとの通信を行うユニットである。
【００３２】
もちろん、上記の複合機２のハードウェア構成の一例は、本願発明の特徴を説明するに
あたって主要構成を説明したのであって、上記の構成に限られない。また、一般的な複合
機が備える構成を排除するものではない。例えば、持ち運び可能なフラッシュＲＯＭ等の
記憶媒体を読み書きするための、カード方式のインターフェイスやＵＳＢインターフェイ
スを備えていてもよい。
【００３３】
上述の各機能部（操作受付部２０、読取制御部２１、印刷制御部２２、呼制御部２３、
データ通信制御部２４）は、例えば、ＣＰＵ２１０がＲＯＭ２３０からＲＡＭ２２０にロ
ードした所定のプログラムを実行することにより実現される。この所定のプログラムは、
例えば、ネットワークＩ／Ｆ２７０を介してネットワーク上からダウンロードされてイン
ストールおよび／または更新される。また、複合機２が記憶媒体のインターフェイスを備
える場合は、所定のプログラムは、持ち運び可能なフラッシュＲＯＭ等の記憶媒体から読
み出されてインストールおよび／または更新されてもよい。
【００３４】
操作受付部２０は、複合機２に対するユーザーの指示を受け付ける機能部である。
【００３５】
例えば、操作受付部２０は、データ送信の宛先の識別情報（例えば、ＳＩＰ  ＵＲＩ（
Uniform Resource Identifier）などのアドレス情報）の入力を、操作パネル２４０を介
して受け付ける。宛先の識別情報のリストへの登録を予め受け付けておき、当該リストの
中から宛先の選択を受け付けるようにしてもよい。
【００３６】
また、例えば、操作受付部２０は、入力された宛先の識別情報に対するデータ送信の開
始の指示を、操作パネル２４０を介して受け付ける。また、操作受付部２０は、受信した
データの表示、印刷、削除の指示、データの送信履歴や受信履歴を参照する指示などを受
け付ける。また、操作受付部２０は、送信元のブラックリストの表示、編集の指示を受け
付ける。
【００３７】
読取制御部２１は、読取エンジン２５０による原稿の読み取りを制御する機能部である
。
【００３８】
例えば、読取制御部２１は、操作受付部２０によりデータ送信の開始の指示が受け付け
られた場合、セットされた原稿の読み取りを読取エンジン２５０に実行させ、読み取られ
た原稿の画像データを取得する。読取制御部２１は、取得した画像データを、例えば、Ｒ
ＡＭ２２０に格納する。
【００３９】
印刷制御部２２は、印刷エンジン２６０による印刷を制御する機能部である。
【００４０】
例えば、印刷制御部２２は、読取制御部２１によりＲＡＭ２２０に格納された画像デー
タを取得し、各種画像処理を施して印刷エンジン２６０に出力し、印刷媒体への印刷を印
刷エンジン２６０に実行させる。また、例えば、データ通信制御部２４の指示に応じて、
データ通信制御部２４によりデータ管理サーバー５から受信されてＲＡＭ２２０に格納さ
れた画像データを取得し、各種画像処理を施して印刷エンジン２６０に出力し、印刷媒体
への印刷を印刷エンジン２６０に実行させる。
【００４１】
呼制御部２３は、ネットワークＩ／Ｆ２７０を介してＳＩＰによる呼制御を行う機能部
である。
【００４２】
例えば、呼制御部２３は、操作受付部２０により特定の宛先に対するデータ送信の開始
の指示が受け付けられた場合、予め設定されたデータ管理サーバー５の識別情報（例えば
、ＳＩＰ  ＵＲＩなどのアドレス情報）を取得する。そして、ＳＩＰサーバー４を介して
、当該識別情報を呼接続先としてセッションを確立する。
【００４３】
また、例えば、呼制御部２３は、データ管理サーバー５からセッション接続の要求を受
け付けた場合、データ管理サーバー５とセッションを確立する。また、呼制御部２３は、
操作受付部２０によりデータの送信履歴や受信履歴を参照する指示が受け付けられた場合
、データ管理サーバー５とセッションを確立する。
【００４４】
また、例えば、呼制御部２３は、操作受付部２０により送信元のブラックリストを編集
する指示が受け付けられた場合、データ管理サーバー５とセッションを確立する。
【００４５】
もちろん、呼制御部２３は、ネットワークＩ／Ｆ２７０を介して他の複合機２とセッシ
ョンを確立してもよい。
【００４６】
データ通信制御部２４は、呼制御部２３により複合機２とデータ管理サーバー５との間
で確立されたセッション上で、データの送受信を行う機能部である。本実施形態では、デ
ータ通信制御部２４は、ＨＴＴＰを用いて、データ管理サーバー５とデータの送受信を行
う。もちろん、呼制御部２３により自身の複合機２と他の複合機２との間で確立されたセ
ッション上で、当該他の複合機２とデータの送受信を行ってもよい。
【００４７】
例えば、データ通信制御部２４は、操作受付部２０により特定の宛先に対するデータ送
信の開始の指示が受け付けられた場合、呼制御部２３によるデータ管理サーバー５とのセ
ッション確立後、予め設定されたＵＲＩからアクセス先リスト５３２（図４参照）を取得
する。なお、当該ＵＲＩは、例えば、複合機２のユーザーに対して予め割り当てられたＵ
ＲＩである。アクセス先リスト５３２は、例えば、ＨＴＴＰのＧＥＴメソッド及び当該Ｕ
ＲＩを含む要求メッセージをデータ管理サーバー５に送ることにより取得することができ
る。
【００４８】
また、データ通信制御部２４は、上述のようにしてデータ管理サーバー５から取得した
アクセス先リスト５３２に含まれる送信リストＵＲＩ５３２０（図４参照）から、送信リ
スト５３３（図４参照）を取得する。送信リスト５３３は、例えば、ＨＴＴＰのＧＥＴメ
ソッド及び送信リストＵＲＩ５３２０を含む要求メッセージをデータ管理サーバー５に送
ることにより取得することができる。
【００４９】
また、データ通信制御部２４は、上述のようにして取得した送信リスト５３３に、操作
受付部２０を介して入力された送信データの宛先の識別情報を含む送信エントリー（図４
参照）を追加する。なお、送信エントリーを追加する場合、送信エントリーＩＤ５３３０
には送信エントリーを識別する値を、宛先ＩＤ５３３１には送信データの宛先の識別情報
を、送信ステータス５３３２には「送信：受付」を、送信データＵＲＩ５３３３には不定
を示す値を、それぞれ設定する。
【００５０】
また、データ通信制御部２４は、上述のようにして更新した送信リスト５３３をデータ
管理サーバー５にアップロードする。送信リスト５３３は、例えば、ＨＴＴＰのＰＵＴメ
ソッド、送信リストＵＲＩ５３２０、及び送信リスト５３３を含む要求メッセージをデー
タ管理サーバー５に送ることによりアップロードすることができる。
【００５１】
なお、データ通信制御部２４は、送信リスト５３３の送受信を行わずに、送信エントリ
ーをデータ管理サーバー５に送信してもよい。この場合、データ管理サーバー５は、受信
した送信エントリーを、当該エントリーの送信元の複合機２に対応する送信リスト５３３
に追加する。
【００５２】
また、データ通信制御部２４は、送信リスト５３３のデータ管理サーバー５へのアップ
ロードの応答として、上述のようにして送信リスト５３３に追加した送信エントリーに対
応する送信データＵＲＩ５３３３を受信する。また、データ通信制御部２４は、受信した
送信データＵＲＩ５３３３に、ＲＡＭ２２０に格納されている送信データをアップロード
する。送信データは、例えば、ＨＴＴＰのＰＯＳＴメソッド、送信データＵＲＩ５３３３
、及び送信データを含む要求メッセージをデータ管理サーバー５に送ることによりアップ
ロードすることができる。
【００５３】
また、例えば、データ通信制御部２４は、データ管理サーバー５からの要求に応じて呼
制御部２３によりセッションが確立された場合、上述した手順でデータ管理サーバー５か
らアクセス先リスト５３２を取得する。
【００５４】
また、データ通信制御部２４は、上述のようにして取得したアクセス先リスト５３２に
含まれる受信リストＵＲＩ５３２１（図４参照）から、受信リスト５３４（図４参照）を
取得する。受信リスト５３４は、例えば、ＨＴＴＰのＧＥＴメソッド及び受信リストＵＲ
Ｉ５３２１を含む要求メッセージをデータ管理サーバー５に送ることにより取得すること
ができる。
【００５５】
また、データ通信制御部２４は、上述のようにして取得した受信リスト５３４に含まれ
る受信エントリー（図４参照）のうち、受信ステータス５３４２が「受信：受付」である
エントリーを特定する。それから、後述する、複合機２に予め設定された受信データの処
理方法に従って、特定した受信エントリーに含まれる受信データＵＲＩ５３４３に格納さ
れている受信データを処理する。受信データの処理方法の設定は、例えば、操作受付部２
０が操作パネル２４０を介してユーザーから受け付けることができる。
【００５６】
受信データの処理方法が「保存」に設定されている場合、データ通信制御部２４は、上
述のようにして特定した受信エントリーに含まれる受信データＵＲＩ５３４３から受信デ
ータを取得し、例えば、ＲＡＭ２２０に格納する。また、当該受信エントリーの受信ステ
ータス５３４２を「受信：保存」に変更する。受信データは、例えば、ＨＴＴＰのＧＥＴ
メソッド及び受信データＵＲＩ５３４３を含む要求メッセージをデータ管理サーバー５に
送ることにより取得することができる。なお、受信データは、操作パネル２４０を介した
ユーザーの指示により印刷することができる。
【００５７】
受信データの処理方法が「印刷」に設定されている場合、データ通信制御部２４は、上
述のようにして特定した受信エントリーに含まれる受信データＵＲＩ５３４３から受信デ
ータを取得し、例えば、ＲＡＭ２２０に格納する。また、データ通信制御部２４は、取得
した受信データの印刷するように印刷制御部２２に指示する。また、当該受信エントリー
の受信ステータス５３４２を「受信：印刷」に変更する。
【００５８】
受信データの処理方法が「削除」に設定されている場合、データ通信制御部２４は、上
述のようにして特定した受信エントリーに含まれる受信データＵＲＩ５３４３から受信デ
ータを取得し、例えば、ＲＡＭ２２０に格納する。また、データ通信制御部２４は、取得
した印刷データを消去する。また、当該受信エントリーの受信ステータス５３４２を「受
信：削除」に変更する。
【００５９】
受信データの処理方法が「拒否」に設定されている場合、データ通信制御部２４は、上
述のようにして特定した受信エントリーに含まれる受信データＵＲＩ５３４３から受信デ
ータを取得しない。また、データ通信制御部２４は、当該受信エントリーの受信ステータ
ス５３４２を「受信：拒否」に変更する。
【００６０】
なお、データ通信制御部２４は、受信データを一旦受信し、当該受信データの内容を表
示するように操作受付部２０に指示し、操作受付部２０を介して当該受信データの処理方
法の選択をユーザーから受け付けるようにしてもよい。
【００６１】
データ通信制御部２４は、上述のようにして受信データを処理し、受信エントリーの受
信ステータス５３４２を変更後、受信リスト５３４をデータ管理サーバー５にアップロー
ドする。受信リスト５３４は、例えば、ＨＴＴＰのＰＵＴメソッド、受信リストＵＲＩ５
３２１、及び受信リスト５３４を含む要求メッセージをデータ管理サーバー５に送ること
によりアップロードすることができる。
【００６２】
また、例えば、データ通信制御部２４は、操作受付部２０により送信データの送信履歴
を参照する指示が受け付けられた場合、呼制御部２３によるデータ管理サーバー５とのセ
ッション確立後、上述した手順でデータ管理サーバー５からアクセス先リスト５３２を取
得し、また、送信リスト５３３を取得する。そして、データ通信制御部２４は、上述のよ
うにして取得した送信リスト５３３に含まれる送信エントリーの一覧を、操作パネル２４
０に表示するように操作受付部２０に指示する。なお、受信履歴を参照する指示が受け付
けられた場合も、同様である。
【００６３】
また、例えば、データ通信制御部２４は、操作受付部２０により送信元のブラックリス
トを編集する指示が受け付けられた場合、呼制御部２３によるデータ管理サーバー５との
セッション確立後、上述した手順でデータ管理サーバー５からアクセス先リスト５３２を
取得する。
【００６４】
また、データ通信制御部２４は、上述のようにして取得したアクセス先リスト５３２に
含まれるブラックリストＵＲＩ５３２２（図４参照）から、ブラックリスト５３６（図４
参照）を取得する。ブラックリスト５３６は、例えば、ＨＴＴＰのＧＥＴメソッド及びブ
ラックリストＵＲＩ５３２２を含む要求メッセージをデータ管理サーバー５に送ることに
より取得することができる。
【００６５】
また、データ通信制御部２４は、上述のようにして取得したブラックリスト５３６に含
まれるエントリーの一覧を、操作パネル２４０に表示するように操作受付部２０に指示す
る。また、データ通信制御部２４は、操作受付部２０を介して、エントリーの追加、変更
、削除などを受け付ける。なお、エントリーを追加する場合、エントリーＩＤ５３６０に
はエントリーを識別する値を、送信元ＩＤ５３６１には操作受付部２０を介してユーザー
に指定された送信元の識別情報を、それぞれ設定する。
【００６６】
また、データ通信制御部２４は、上述のようにして更新したブラックリスト５３６を、
データ管理サーバー５にアップロードする。ブラックリスト５３６は、例えば、ＨＴＴＰ
のＰＵＴメソッド、ブラックリストＵＲＩ５３２２、及びブラックリスト５３６を含む要
求メッセージをデータ管理サーバー５に送ることによりアップロードすることができる。
【００６７】
図３は、データ管理サーバーの機能構成の一例を示すブロック図である。
【００６８】
データ管理サーバー５は、呼制御部５０と、データ通信制御部５１と、記憶部５２とを
有する。
【００６９】
なお、データ管理サーバー５は、例えば図７に示すように、各種演算を行うＣＰＵ５０
０と、ＣＰＵ５００が実行するプログラムやデータ等を格納するＲＡＭ５１０と、起動に
必要なプログラムやデータ等を予め格納するＲＯＭ５２０と、ＨＤＤ（Hard Disk Drive
）やＳＳＤ（Solid State Drive）等の補助記憶装置５３０と、ＣＤ−ＲＯＭやＤＶＤ−
ＲＯＭ等の可搬性がある記憶媒体の情報の読み書きを行うメディア読み書き装置５４０と
、有線ＬＡＮ等のネットワークに接続して通信を行うネットワークインターフェイス（Ｉ
／Ｆ）５５０と、ＵＳＢによる通信を行うＵＳＢインターフェイス（Ｉ／Ｆ）５６０と、
キーボードやマウス等の入力装置５７０と、ユーザーインターフェイス（ＵＩ）画面等を
表示するＬＣＤなどの出力装置５８０とを備える一般的なコンピューターである。
【００７０】
もちろん、上記のデータ管理サーバー５のハードウェア構成の一例は、本願発明の特徴
を説明するにあたって主要構成を説明したのであって、上記の構成に限られない。また、
一般的なサーバーが備える構成を排除するものではない。例えば、補助記憶装置を、ネッ
トワークＩ／Ｆ５５０やＵＳＢ  Ｉ／Ｆ５６０を介して、サーバーの外部に接続するよう
にしてもよい。
【００７１】
上述の呼制御部５０と、データ通信制御部５１とは、例えば、ＣＰＵ５００がＲＯＭ５
３０からＲＡＭ５１０にロードした所定のプログラムを実行することにより実現される。
この所定のプログラムは、例えば、ネットワークＩ／Ｆ５５０を介してネットワーク上か
らダウンロードされてインストールおよび／または更新される。また、メディア読み書き
装置５４０によりＣＤ−ＲＯＭ等の記憶媒体から読み出されてインストールおよび／また
は更新されてもよい。記憶部５２は、例えば、ＲＡＭ５１０または補助記憶装置５３０に
より実現される。もちろん、記憶部５２は、データ管理サーバー５の外部に接続される記
憶装置上に実現されてもよい。
【００７２】
まず、記憶部５２について説明する。記憶部５２には、ユーザーデータベース５３が格
納される。ユーザーデータベース５３には、各複合機２とのデータの送受信を制御するた
めのリストが含まれる。
【００７３】
ユーザーデータベース５３には、例えば、図４に示すように、ユーザーＩＤ５３１ごと
に、アクセス先リスト５３２と、送信リスト５３３と、受信リスト５３４と、ブラックリ
スト５３６とが格納される。また、ユーザーデータベース５３には、ユーザーＩＤ５３１
ごとに、受信データ格納領域５３５が含まれる。
【００７４】
ユーザーＩＤ５３１は、複合機２を使用するユーザーを識別する値（例えば、ＳＩＰ  
ＵＲＩなどのアドレス情報）である。本実施形態では、ユーザーＩＤ５３１は、当該ユー
ザーのアクセス先リスト５３２の格納先を示すＵＲＩを示すものでもあり、予め複合機２
に設定される。なお、複合機２に、複数のユーザーＩＤ５３１が割り当てられてもよい。
【００７５】
アクセス先リスト５３２には、送信リスト５３３の格納場所を示す送信リストＵＲＩ５
３２０と、受信リスト５３４の格納場所を示す受信リストＵＲＩ５３２１と、ブラックリ
スト５３６の格納場所を示すブラックリストＵＲＩ５３２２とが格納される。
【００７６】
送信リスト５３３には、送信データごとに、送信エントリーを識別する値である送信エ
ントリーＩＤ５３３０と、送信データの宛先を識別する値（例えば、ＳＩＰ  ＵＲＩなど
のアドレス情報）である宛先ＩＤ５３３１と、送信データの送信ステータス（「送信：受
付」、又は「送信：完了」）５３３２と、送信データの受信データ格納領域５３５の中の
格納場所を示す送信データＵＲＩ５３３３とが対応付けられた送信エントリーが格納され
る。
【００７７】
本実施形態では、送信データは、受信データとして受信データ格納領域５３５に格納さ
れる。ある送信データに対応する送信エントリーの送信エントリーＩＤ５３３０と、当該
送信データの宛先のユーザーＩＤ５３１の受信リスト５３４に格納される受信エントリー
の受信エントリーＩＤ５３４０とは、対応する値が設定されるものとする。
【００７８】
送信ステータス「送信：受付」は、送信データがデータ管理サーバー５により受け付け
られた状態を示す。送信ステータス「送信：完了」は、送信データがその宛先に送信され
た状態を示す。
【００７９】
受信リスト５３４には、受信データごとに、受信エントリーを識別する値である受信エ
ントリーＩＤ５３４０と、受信データ（送信データ）の送信元を識別する値（例えば、Ｓ
ＩＰ  ＵＲＩなどのアドレス情報）である送信元ＩＤ５３４１と、受信エントリーの受信
ステータス（「受信：受付」、「受信：保存」、「受信：印刷」、「受信：削除」、「受
信：拒否」、「削除」、又は「拒否」）５３４２と、受信データ（送信データ）の受信デ
ータ格納領域５３５の中の格納場所を示す受信データＵＲＩ５３４３とが対応付けられた
受信エントリーが格納される。
【００８０】
本実施形態では、送信データは、受信データとして受信データ格納領域５３５に格納さ
れる。ある受信データに対応する受信エントリーの受信エントリーＩＤ５３４０と、当該
受信データの送信元のユーザーＩＤ５３１の送信リスト５３３に格納される送信エントリ
ーの送信エントリーＩＤ５３３０とは、対応する値が設定されるものとする。
【００８１】
受信ステータス「受信：受付」は、送信データが当該データの宛先の受信データとして
データ管理サーバー５により受け付けられた状態を示す。受信ステータス「受信：保存」
は、受信データがその宛先の装置に受信されて当該装置に保存された状態を示す。受信ス
テータス「受信：印刷」は、受信データがその宛先の装置に受信されて印刷された状態を
示す。受信ステータス「受信：削除」は、受信データがその宛先の装置に受信されて削除
された状態を示す。受信ステータス「受信：拒否」は、受信データがその宛先の装置に拒
否されて受信されていない状態を示す。受信ステータス「削除」は、ブラックリスト５３
６により受信データの受信が拒否されかつ削除された状態を示す。受信ステータス「拒否
」、ブラックリスト５３６により受信データの受信が拒否された状態を示す。
【００８２】
受信データ格納領域５３５には、データ管理サーバー５により受け付けられた送信デー
タが、当該宛先の受信データとして格納される。もちろん、送信データと受信データとそ
れぞれ別々の領域に格納してもよい。
【００８３】
ブラックリスト５３６には、送信元ごとに、エントリーを識別する値であるエントリー
ＩＤ５３６０と、送信元を識別する値（例えば、ＳＩＰ  ＵＲＩなどのアドレス情報）で
ある送信元ＩＤ５３６１とが対応付けられたエントリーが格納される。もちろん、ブラッ
クリスト５３６のエントリーに、より詳細な条件、例えば、特定のキーワードなどを設定
できるようにしてもよい。
【００８４】
なお、本実施形態では、ユーザーデータベース５３は、ＲＳＳやＡｔｏｍなどのＸＭＬ
（Extensible Markup Language）をベースとしたフィード文書により構成することができ
る。例えば、各ユーザーのアクセス先リスト５３２、送信リスト５３３、受信リスト５３
４、及びブラックリスト５３６を、それぞれフィード文書として構成する。各フィード文
書には、ユーザーＩＤが記述される。また、送信エントリー、受信エントリー、及びブラ
ックリストのエントリーもフィード文書として構成し、送信リスト５３３、受信リスト５
３４、及びブラックリスト５３６に追加したり削除したりできるようにしてもよい。
【００８５】
呼制御部５０は、ネットワークＩ／Ｆ５５０を介してＳＩＰによる呼制御を行う機能部
である。
【００８６】
例えば、呼制御部５０は、複合機２からセッション接続の要求を受け付けた場合、当該
複合機２とセッションを確立する。また、呼制御部５０は、データ通信制御部５１からデ
ータ送信の開始の指示を受け付けた場合、データ通信制御部５１により指定された宛先の
識別情報（例えば、ＳＩＰ  ＵＲＩなどのアドレス情報）を取得する。そして、当該識別
情報を呼接続先としてセッションを確立する。
【００８７】
データ通信制御部５１は、呼制御部５０によりデータ管理サーバー５と複合機２との間
で確立されたセッション上で、データの送受信を行う機能部である。本実施形態では、デ
ータ通信制御部５１は、ＨＴＴＰを用いて、複合機２とデータの送受信を行う。
【００８８】
例えば、データ通信制御部５１は、複合機２からの要求に従って呼制御部５０により当
該複合機２とセッションが確立された後、当該複合機２からアクセス先リスト５３２のＵ
ＲＩを含む要求メッセージを受信した場合、当該アクセス先リスト５３２をユーザーデー
タベース５３から取得し、応答メッセージに含めて要求元の複合機２に送信する。
【００８９】
また、データ通信制御部５１は、送信リストＵＲＩ５３２０を含む要求メッセージを受
信した場合、当該送信リストＵＲＩ５３２０から送信リスト５３３を取得し、応答メッセ
ージに含めて要求元の複合機２に送信する。
【００９０】
また、データ通信制御部５１は、送信リスト５３３及び送信リストＵＲＩ５３２０を含
む要求メッセージを受信した場合、受信した送信リスト５３３で送信リストＵＲＩ５３２
０が示す送信リスト５３３を更新する。このとき、データ通信制御部５１は、更新前後の
送信リスト５３３を比較し、新しく追加された送信エントリーを特定する。また、特定し
た送信エントリーに含まれる宛先ＩＤ５３３１と対応するユーザーＩＤ５３１の受信リス
ト５３４を特定する。
【００９１】
また、データ通信制御部５１は、上述のようにして特定した受信リスト５３４に、受信
エントリーを追加する。受信エントリーＩＤ５３４０には上述のようにして特定した送信
エントリーの送信エントリーＩＤ５３３０と同じ値を、送信元ＩＤ５３４１には上述のよ
うにして更新された送信リスト５３３に対応するユーザーＩＤ５３１を、受信スタータス
５３４２には「受信：受付」を、それぞれ設定する。また、データ通信制御部５１は、受
信データ格納領域５３５の中の任意の空き領域を確保するとともに当該領域のＵＲＩを決
定し、当該ＵＲＩを、上述のように特定した送信エントリーの送信データＵＲＩ５３３３
及び追加した受信エントリーの受信データＵＲＩ５３４３に設定する。
【００９２】
また、データ通信制御部５１は、上述のように設定した送信データＵＲＩ５３３３を、
送信リスト５３３を含む要求メッセージに対する応答メッセージに含めて、要求元の複合
機２に送信する。
【００９３】
また、データ通信制御部５１は、送信データ及び送信データリストＵＲＩ５３３０を含
む要求メッセージを受信した場合、受信した送信データを送信リストＵＲＩ５３３０が示
す受信データ格納領域５３５の領域に格納する。
【００９４】
また、データ通信制御部５１は、上述のように受信リスト５３４に追加した受信エント
リーについて、当該受信リスト５３４のユーザーのブラックリスト５３６の各エントリー
と比較する。追加した受信エントリーの送信元ＩＤ５３４１と同じ送信元ＩＤ５３６１を
含むエントリーがブラックリスト５３６に存在する場合、データ通信制御部５１は、次の
処理を行う。
【００９５】
データ通信制御部５１は、当該受信エントリーの受信ステータス５３４２を「拒否」又
は「削除」に変更する。「拒否」は、ブラックリストに一致した受信データ（送信データ
）が自動的には削除されない設定がされている場合のステータスであり、「削除」は、ブ
ラックリストに一致した受信データ（送信データ）が自動的に削除される設定がされてい
る場合のステータスである。これらの設定は、例えば、複合機２の操作受付部２０を介し
てユーザーが予め設定することができる。また、データ通信制御部５１は、当該受信エン
トリーの受信エントリーＩＤ５３４０と対応する送信エントリーＩＤ５３３０を有する送
信エントリーの送信ステータス５３３２を「送信：受付」から「送信：完了」に変更する
。送信ステータス５３３２を「送信：拒否」に変更するようにしてもよい。また、データ
通信制御部５１は、「削除」設定がされている場合、データ通信制御部５１は、当該受信
エントリーの受信データＵＲＩ５３４３が示す受信データ格納領域５３５の領域から受信
データを削除する。
【００９６】
なお、データ通信制御部５１は、ブラックリスト５３６に一致した受信エントリー及び
当該受信エントリーに対応する送信エントリーを削除してもよい。
【００９７】
なお、ブラックリスト５３６のエントリーに、例えば、キーワードなどの詳細な条件が
設定されている場合、データ通信制御部５１は、受信エントリーに対応する受信データを
画像解析し、当該キーワードが受信データに含まれているか否かを判定してもよい。当該
キーワードが受信データに含まれている場合、受信エントリーの受信ステータス５３４２
を「拒否」又は「削除」に変更する。
【００９８】
また、例えば、データ通信制御部５１は、上述のようにして受信リスト５３４を更新し
た場合、当該受信リスト５３４に対応するユーザーＩＤ５３１の複合機２（すなわち、受
信データの宛先の複合機２）とセッションを確立するように呼制御部５０に指示する。
【００９９】
なお、データ通信制御部５１は、更新した受信リスト５３４に受信ステータス５３４２
が「受信：受付」の受信エントリーが存在しない場合、すなわち、追加した受信エントリ
ーの受信ステータス５３４２が「拒否」や「削除」である場合、宛先の複合機２とセッシ
ョンを確立しなくてよい。
【０１００】
また、データ通信制御部５１は、呼制御部５０により受信データの宛先の複合機２とセ
ッションが確立された後、当該複合機２からアクセス先リスト５３２のＵＲＩを含む要求
メッセージを受信した場合、当該アクセス先リスト５３２をユーザーデータベース５３か
ら取得し、応答メッセージに含めて要求元の複合機２に送信する。
【０１０１】
また、データ通信制御部５１は、受信リストＵＲＩ５３２１を含む要求メッセージを受
信した場合、当該受信リストＵＲＩ５３２１から受信リスト５３４を取得し、応答メッセ
ージに含めて要求元の複合機２に送信する。
【０１０２】
また、データ通信制御部５１は、受信データＵＲＩ５３４３を含む要求メッセージを受
信した場合、当該受信データＵＲＩ５３４３が示す受信データ格納領域５３５の領域から
受信データを取得し、応答メッセージに含めて要求元の複合機２に送信する。
【０１０３】
また、データ通信制御部５１は、受信リスト５３４及び受信リストＵＲＩ５３２１を含
む要求メッセージを受信した場合、受信した受信リスト５３４で受信リストＵＲＩ５３２
１が示す受信リスト５３４を更新する。このとき、データ通信制御部５１は、更新前後の
受信リスト５３４を比較し、更新前の受信ステータス５３４２が「拒否」又は「削除」の
受信エントリーについては更新を行わない。一方、受信スタータス５３４２が「受信：受
付」から「受信：保存」、「受信：印刷」、「受信：削除」、又は「受信：拒否」に変更
された受信エントリーを特定する。また、特定した受信エントリーに含まれる送信元ＩＤ
５３４１と対応するユーザーＩＤ５３１の送信リスト５３３を特定する。
【０１０４】
また、データ通信制御部５１は、上述のようにして特定した送信リスト５３３の送信エ
ントリーのうち、上述のように特定した受信エントリーの受信エントリーＩＤ５３４０と
対応する送信エントリーＩＤ５３３０を有する送信エントリーを特定する。また、特定し
た送信エントリーの送信ステータス５３３２を「送信：受付」から「送信：完了」に変更
する。
【０１０５】
また、例えば、データ通信制御部５１は、複合機２からの要求に従って呼制御部５０に
より当該複合機２とセッションが確立された後、ブラックリストＵＲＩ５３２２を含む要
求メッセージを受信した場合、当該ブラックリストＵＲＩ５３２２からブラックリスト５
３６を取得し、応答メッセージに含めて要求元の複合機２に送信する。
【０１０６】
また、データ通信制御部５１は、ブラックリスト５３６及びブラックリストＵＲＩ５３
２２を含む要求メッセージを受信した場合、受信したブラックリスト５３６でブラックリ
ストＵＲＩ５３２２が示すブラックリスト５３６を更新する。
【０１０７】
以上の各構成要素は、複合機２及びデータ管理サーバー５の構成を理解容易にするため
に、主な処理内容に応じて分類したものである。構成要素の分類の仕方や名称によって、
本願発明が制限されることはない。複合機２及びデータ管理サーバー５の構成は、処理内
容に応じて、さらに多くの構成要素に分類することもできる。また、１つの構成要素がさ
らに多くの処理を実行するように分類することもできる。また、各構成要素の処理は、１
つのハードウェアで実行されてもよいし、複数のハードウェアで実行されてもよい。
【０１０８】
図５は、送信及び受信ステータスの遷移の一例を説明する図である。
【０１０９】
上述したように、本実施形態では、送信リスト５３３へ送信エントリーが追加されると
、当該送信エントリーの宛先ＩＤ５３３１に対応するユーザーＩＤ５３１の受信リスト５
３４に、受信エントリーが追加される。そして、これらの追加された送信エントリーと受
信エントリーは、対となる値が設定される。すなわち、送信エントリーＩＤ５３３０と受
信エントリーＩＤ５３４０には同じ値が設定され、宛先ＩＤ５３３１及び送信元ＩＤ５３
４１は対応する宛先及び送信元の識別情報が設定され、送信ステータス５３３２と受信ス
テータス５３４２には「受付」が設定され、送信データＵＲＩ５３３３と受信データＵＲ
Ｉ５３４３には同じＵＲＩが設定される。
【０１１０】
受信エントリーの受信ステータスが「受信：受付」から「受信：保存」、「受信：印刷
」、「受信：削除」、又は「受信：拒否」に変更された場合、当該受信エントリーに対応
する送信エントリーの送信ステータスは「送信：受付」から「送信：完了」に変更される
。また、受信エントリーの受信ステータスが「受信：受付」から「削除」又は「拒否」に
変更された場合も、当該受信エントリーに対応する送信エントリーの送信ステータスは「
送信：受付」から「送信：完了」に変更される。
【０１１１】
次に、上述の複合機２及びデータ管理サーバー５により実現される処理について説明す
る。
【０１１２】
図８は、データ送信処理の一例を示すシーケンス図である。
【０１１３】
データ送信元の複合機２の操作受付部２０は、データ送信の宛先の入力、当該宛先への
データ送信の開始の指示を受け付ける（Ｓ１）。すると、呼制御部２３は、予め設定され
たデータ管理サーバー５を呼接続先として、ＳＩＰサーバー４を介してデータ管理サーバ
ー５の呼制御部５０と呼接続を行う（Ｓ２）。なお、後述するＳ３１０までには、読取制
御部２１によりデータ送信対象の原稿がスキャンされて画像データが生成される。
【０１１４】
データ管理サーバー５との呼接続後、複合機２のデータ通信制御部２４は、データ管理
サーバー５とデータ通信を行う（Ｓ３）。
【０１１５】
具体的には、まず、複合機２のデータ通信制御部２４は、予め設定されたアクセス先リ
ストのＵＲＩを含む要求メッセージを、データ管理サーバー５に送信する（Ｓ３０１）。
データ管理サーバー５のデータ通信制御部５１は、複合機２から送信された要求メッセー
ジに含まれるアクセス先リストのＵＲＩからアクセス先リスト５３２を取得し、当該アク
セス先リスト５３２を含む応答メッセージを複合機２に送信する（Ｓ３０２）。
【０１１６】
それから、複合機２のデータ通信制御部２４は、データ管理サーバー５から送信された
アクセス先リスト５３２に含まれる送信リストＵＲＩ５３２０を含む要求メッセージを、
データ管理サーバー５に送信する（Ｓ３０３）。データ管理サーバー５のデータ通信制御
部５１は、複合機２から送信された要求メッセージに含まれる送信リストＵＲＩ５３２０
から送信リスト５３３を取得し、当該送信リスト５３３を含む応答メッセージを複合機２
に送信する（Ｓ３０４）。
【０１１７】
それから、複合機２のデータ通信制御部２４は、データ管理サーバー５から送信された
送信リスト５３３に送信エントリーを追加する（Ｓ３０５）。なお、データ通信制御部２
４は、送信エントリーＩＤ５３３０には送信エントリーを識別する値を、宛先ＩＤ５３３
１にはＳ１で入力された送信データの宛先の識別情報を、送信ステータス５３３２には「
送信：受付」を、送信データＵＲＩ５３３３には不定を示す値を、それぞれ設定する。そ
して、データ通信制御部２４は、更新した送信リスト５３３を含む要求メッセージをデー
タ管理サーバー５に送信する（Ｓ３０６）。
【０１１８】
データ管理サーバー５のデータ通信制御部５１は、複合機２から送信された要求メッセ
ージに含まれる送信リスト５３３により、ユーザーデータベース５３の対応する送信リス
ト５３３を更新する（Ｓ３０７）。また、データ通信制御部５１は、更新された送信リス
ト５３３に追加された送信エントリーと対応する受信エントリーを、当該送信エントリー
の宛先ＩＤ５３３１と対応するユーザーＩＤ５３１の受信リスト５３４に追加する（Ｓ３
０８）。
【０１１９】
なお、データ通信制御部５１は、受信エントリーＩＤ５３４０には追加された送信エン
トリーの送信エントリーＩＤ５３３０と同じ値を、送信元ＩＤ５３４１にはＳ３０７で更
新された送信リスト５３３に対応するユーザーＩＤ５３１を、受信スタータス５３４２に
は「受信：受付」を、それぞれ設定する。また、送信データ（受信データ）を格納する受
信データ格納領域５３５の中の領域を決定し、当該領域のＵＲＩを、追加された送信エン
トリーの送信データＵＲＩ５３３３及び追加した受信エントリーの受信データＵＲＩ５３
４３に設定する。
【０１２０】
それから、データ管理サーバー５のデータ通信制御部５１は、Ｓ３０８で設定した送信
データＵＲＩ５３３３を含む応答メッセージを複合機２に送信する（Ｓ３０９）。複合機
２のデータ通信制御部２４は、データ管理サーバー５から送信された応答メッセージに含
まれる送信データＵＲＩ５３３３、及び読取制御部２１により生成された画像データを含
む要求メッセージを、データ管理サーバー５に送信する（Ｓ３１０）。
【０１２１】
データ管理サーバー５のデータ通信制御部５１は、複合機２から送信された要求メッセ
ージに含まれる画像データを、指定された送信データＵＲＩ５３３３が示す受信データ格
納領域５３５の中の領域に格納する（Ｓ３１１）。
【０１２２】
それから、データ管理サーバー５のデータ通信制御部５１は、Ｓ３０８で追加した受信
エントリーについてブラックリスト５３６の各エントリーと比較し、当該受信エントリー
の送信元ＩＤ５３４１と同じ送信元ＩＤ５３６１を含むエントリーがブラックリスト５３
６に存在するか否かを判定する（Ｓ３１２）。
【０１２３】
受信エントリーの送信元ＩＤ５３４１と同じ送信元ＩＤ５３６１を含むエントリーがブ
ラックリスト５３６に存在する場合、データ通信制御部５１は、予め定められた設定に従
って当該受信エントリーの受信ステータス５３４２を「拒否」又は「削除」に変更すると
ともに、当該受信エントリーの受信エントリーＩＤ５３４０と対応する送信エントリーＩ
Ｄ５３３０を有する送信エントリーの送信ステータス５３３２を「送信：受付」から「送
信：完了」に変更する（Ｓ３１３）。なお、「削除」設定がされている場合、データ通信
制御部５１は、当該受信エントリーの受信データＵＲＩ５３４３が示す受信データ格納領
域５３５の領域から受信データを削除する。
【０１２４】
Ｓ３１０の処理の終了後、複合機２のデータ通信制御部２４は、データ管理サーバー５
との呼接続を切断するように呼制御部２３に指示する。すると、呼制御部２３は、ＳＩＰ
サーバー４を介してデータ管理サーバー５の呼制御部５０との呼を切断する（Ｓ４）。な
お、Ｓ３１１の処理の終了後、データ管理サーバー５側から、呼の切断を複合機２に要求
してもよい。
【０１２５】
以上のようにして、送信データが送信元の複合機２からデータ管理サーバー５に送信さ
れ、当該送信データの宛先の受信データとして格納される。また、ブラックリストに登録
されている送信元からの受信データは、拒否または削除される。
【０１２６】
図９は、データ受信処理の一例を示すシーケンス図である。
【０１２７】
データ管理サーバー５のデータ通信制御部５１は、受信リスト５３４に受信エントリー
を追加した場合（図８のＳ３０８）、当該受信リスト５３４に対応するユーザーＩＤ５３
１の複合機２（すなわち、受信データの宛先の複合機２）とセッションを確立するように
呼制御部５０に指示する。なお、更新した受信リスト５３４に受信ステータス５３４２が
「受信：受付」の受信エントリーが存在しない場合、すなわち、追加した受信エントリー
の受信ステータス５３４２が「拒否」や「削除」に変更された場合（図８のＳ３１３）、
宛先の複合機２とセッションを確立するように呼制御部５０に指示なくてよい。
【０１２８】
呼制御部５０は、データ通信制御部５１の指示を受け付けて、受信データの宛先のユー
ザーＩＤ５３１を呼接続先として、ＳＩＰサーバー４を介して宛先の複合機２の呼制御部
２３と呼接続を行う（Ｓ５）。
【０１２９】
データ管理サーバー５からの要求による呼接続後、複合機２のデータ通信制御部２４は
、データ管理サーバー５とデータ通信を行う（Ｓ６）。
【０１３０】
具体的には、まず、複合機２のデータ通信制御部２４は、予め設定されたアクセス先リ
ストのＵＲＩを含む要求メッセージを、データ管理サーバー５に送信する（Ｓ６０１）。
データ管理サーバー５のデータ通信制御部５１は、複合機２から送信された要求メッセー
ジに含まれるアクセス先リストのＵＲＩからアクセス先リスト５３２を取得し、当該アク
セス先リスト５３２を含む応答メッセージを複合機２に送信する（Ｓ６０２）。
【０１３１】
それから、複合機２のデータ通信制御部２４は、データ管理サーバー５から送信された
アクセス先リスト５３２に含まれる受信リストＵＲＩ５３２１を含む要求メッセージを、
データ管理サーバー５に送信する（Ｓ６０３）。データ管理サーバー５のデータ通信制御
部５１は、複合機２から送信された要求メッセージに含まれる受信リストＵＲＩ５３２１
から受信リスト５３４を取得し、当該受信リスト５３４を含む応答メッセージを複合機２
に送信する（Ｓ６０４）。
【０１３２】
複合機２のデータ通信制御部２４は、データ管理サーバー５から送信された受信リスト
５３４に含まれる受信エントリーのうち、受信ステータス５３４２が「受信：受付」であ
る受信エントリーと、その受信データＵＲＩ５３４３を特定する（Ｓ６０５）。そして、
データ通信制御部２４は、受信データＵＲＩ５３４３を含む要求メッセージを、データ管
理サーバー５に送信する（Ｓ６０６）。
【０１３３】
なお、送信元ＩＤ５３４１のリスト（以下、「送信元リスト」ともいう。）を複合機２
に登録できるようにしてもよい。この場合、複合機２のデータ通信制御部２４は、Ｓ６０
５において、上述のように特定した受信エントリーの送信元ＩＤ５３４１が送信元リスト
に登録されているか否かを判定する。送信元ＩＤ５３４１が登録されている場合、データ
通信制御部２４は、処理を自動的にＳ６０６に進める。一方、送信元ＩＤ５３４１が登録
されていない場合、データ通信制御部２４は、処理を進めるか否かの確認を促すダイアロ
グを表示するように操作受付部２０に指示する。
【０１３４】
そして、ユーザーの確認が得られた場合、データ通信制御部２４は、確認が得られた送
信元ＩＤ５３４１を送信元リストに追加し、処理をＳ６０６に進める。一方、ユーザーの
確認が得られなかった場合、データ通信制御部２４は、上述のように特定した受信エント
リーの受信ステータス５３４２を「受信：拒否」に変更し、処理をＳ６１０に進める。
【０１３５】
さらに、ユーザーの確認が得られなかった場合、データ通信制御部２４は、上述のよう
に特定した受信エントリーの送信元ＩＤ５３４１をブラックリスト５３６に登録するよう
にしてもよい。例えば、ユーザーの確認が得られなかった場合、データ通信制御部２４は
、ブラックリスト５３６への登録を行うか否かを選択するダイアログを表示するように操
作受付部２０に指示する。ブラックリスト５３６への登録が選択された場合、データ通信
制御部２４は、ブラックリスト５３６をデータ管理サーバー５から取得して、エントリー
を追加する。当該追加したエントリーのエントリーＩＤ５３６０にはエントリーを識別す
る値を、送信元ＩＤ５３６１には上述のように特定した受信エントリーの送信元ＩＤ５３
４１を設定する。そして、データ通信制御部２４は、更新したブラックリスト５３６をデ
ータ管理サーバー５にアップロードする。
【０１３６】
データ管理サーバー５のデータ通信制御部５１は、複合機２から送信された要求メッセ
ージに含まれる受信データＵＲＩ５３４３が示す受信データ格納領域５３５の中の領域か
ら受信データを取得し、当該受信データを含む応答メッセージを複合機２に送信する（Ｓ
６０７）。
【０１３７】
複合機２のデータ通信制御部２４は、データ管理サーバー５から送信された受信データ
をＲＡＭ２２０に格納する（Ｓ６０８）。また、データ通信制御部２４は、受信データを
格納した受信エントリー、すなわちＳ６０５で特定した受信エントリーの受信ステータス
５３４２を、複合機２に予め設定された又は操作受付部２０を介してユーザーに選択され
た受信データの処理方法に従って、「受信：保存」、「受信：印刷」、「受信：削除」、
又は「受信：拒否」に変更する（Ｓ６０９）。それから、データ通信制御部２４は、更新
した受信リスト５３４を含む要求メッセージをデータ管理サーバー５に送信する（Ｓ６１
０）。
【０１３８】
なお、受信された受信データは、Ｓ６０８の後、予め設定された方法（保存、印刷、削
除、又は拒否）に従って自動的に処理されるようにしてもよい。または、Ｓ６０８〜Ｓ６
０９の間に、データ通信制御部２４は、当該受信データの内容を表示するように操作受付
部２０に指示し、操作受付部２０を介して当該受信データの処理方法の選択をユーザーか
ら受け付けるようにしてもよい。
【０１３９】
データ管理サーバー５のデータ通信制御部５１は、複合機２から送信された要求メッセ
ージに含まれる受信リスト５３４により、ユーザーデータベース５３の対応する受信リス
ト５３４を更新する（Ｓ６１１）。また、データ通信制御部５１は、更新された受信エン
トリーと対応する送信エントリーの送信ステータス５３３２を、「送信：完了」に変更す
る（Ｓ６１２）。
【０１４０】
なお、データ通信制御部５１は、送信ステータス５３３２が「送信：完了」に変更され
た送信エントリーに対応する送信データを、送信データＵＲＩ５３３３が示す受信データ
格納領域５３５の中の領域から削除してもよい。
【０１４１】
Ｓ６１０の処理の終了後、複合機２のデータ通信制御部２４は、データ管理サーバー５
との呼接続を切断するように呼制御部２３に指示する。すると、呼制御部２３は、ＳＩＰ
サーバー４を介してデータ管理サーバー５の呼制御部５０との呼を切断する（Ｓ７）。な
お、Ｓ６１２の処理の終了後、データ管理サーバー５側から、呼の切断を複合機２に要求
してもよい。
【０１４２】
以上のようにして、送信側の複合機２から送信されてデータ管理サーバー５に格納され
た送信データ（受信データ）が、当該送信データの宛先の複合機２に送信される。また、
ユーザーの必要に応じて、受信データの送信元がブラックリストに登録される。
【０１４３】
図１０は、ブラックリスト更新処理の一例を示すシーケンス図である。
【０１４４】
複合機２の操作受付部２０は、ブラックリストを編集する指示を受け付ける（Ｓ８）。
すると、呼制御部２３は、予め設定されたデータ管理サーバー５を呼接続先として、ＳＩ
Ｐサーバー４を介してデータ管理サーバー５の呼制御部５０と呼接続を行う（Ｓ９）。
【０１４５】
データ管理サーバー５との呼接続後、複合機２のデータ通信制御部２４は、データ管理
サーバー５とデータ通信を行う（Ｓ１０）。
【０１４６】
具体的には、まず、複合機２のデータ通信制御部２４は、予め設定されたアクセス先リ
ストのＵＲＩを含む要求メッセージを、データ管理サーバー５に送信する（Ｓ１００１）
。データ管理サーバー５のデータ通信制御部５１は、複合機２から送信された要求メッセ
ージに含まれるアクセス先リストのＵＲＩからアクセス先リスト５３２を取得し、当該ア
クセス先リスト５３２を含む応答メッセージを複合機２に送信する（Ｓ１００２）。
【０１４７】
それから、複合機２のデータ通信制御部２４は、データ管理サーバー５から送信された
アクセス先リスト５３２に含まれるブラックリストＵＲＩ５３２２を含む要求メッセージ
を、データ管理サーバー５に送信する（Ｓ１００３）。データ管理サーバー５のデータ通
信制御部５１は、複合機２から送信された要求メッセージに含まれるブラックリストＵＲ
Ｉ５３２２からブラックリスト５３６を取得し、当該ブラックリスト５３６を含む応答メ
ッセージを複合機２に送信する（Ｓ１００４）。
【０１４８】
複合機２の操作受付部２０は、データ管理サーバー５から送信されたブラックリスト５
３６の内容を操作パネル２４０に表示し、ブラックリストのエントリーの追加、変更、削
除などの編集を受け付ける（Ｓ１００５）。なお、複合機２のデータ通信制御部２４は、
操作受付部２０を介して、ブラックリストの編集を受け付けると、エントリーの編集内容
をＳ１００４で受信したブラックリスト５３６に反映する。それから、データ通信制御部
２４は、編集されたブラックリスト５３６を含む要求メッセージをデータ管理サーバー５
に送る（Ｓ１００６）。
【０１４９】
データ管理サーバー５のデータ通信制御部５１は、複合機２から送信された要求メッセ
ージに含まれるブラックリスト５３６により、ユーザーデータベース５３の対応するブラ
ックリスト５３６を更新する（Ｓ１００７）。
【０１５０】
Ｓ１００６の処理の終了後、複合機２のデータ通信制御部２４は、データ管理サーバー
５との呼接続を切断するように呼制御部２３に指示する。すると、呼制御部２３は、ＳＩ
Ｐサーバー４を介してデータ管理サーバー５の呼制御部５０との呼を切断する（Ｓ１１）
。なお、Ｓ１０１０の処理の終了後、データ管理サーバー５側から、呼の切断を複合機２
に要求してもよい。
【０１５１】
以上のようにして、複合機２からデータ管理サーバー５に格納されているブラックリス
トを編集することができる。
【０１５２】
なお、上述の各シーケンスの各処理単位は、データ通信システム１の処理を理解容易に
するために、主な処理内容に応じて分割したものである。処理単位の分割の仕方や名称に
よって、本願発明が制限されることはない。データ通信システム１の処理は、処理内容に
応じて、さらに多くの処理単位に分割することもできる。また、１つの処理単位がさらに
多くの処理を含むように分割することもできる。
【０１５３】
上記の本発明の実施形態は、本発明の要旨と範囲を例示することを意図し、限定するも
のではない。多くの代替物、修正および変形例が当業者にとって明らかである。
【０１５４】
例えば、データ管理サーバー５のデータ通信制御部５１は、受信リスト５３４に受信エ
ントリーを追加した場合に、受信エントリーが追加されたことを示す通知を、複合機２に
送信してもよい。この場合、複合機２のデータ通信制御部２４は、当該通知の受信後、自
動的に、又はユーザーからの指示を受け付けた場合に、データ管理サーバー５から受信デ
ータを取得すればよい。なお、受信データを取得する際に、セッションが確立していない
場合、複合機２の呼制御部２３がデータ通信制御部５１に呼接続を要求すればよい。
【０１５５】
また、例えば、送信エントリー及び受信エントリーに、追加的な条件を含めるようにし
てもよい。具体的には、例えば、送信エントリーに、有効期限（日時）、強制印刷フラグ
（ＯＮ、又はＯＦＦ）、印刷条件フラグ（ＯＮ、又はＯＦＦ）、印刷条件（印刷部数、ふ
ち無し印刷、用紙タイプ、用紙サイズ、印刷品質など）、保存許可フラグ（ＯＮ、又はＯ
ＦＦ）を含める。これらの追加的な条件は、例えば、操作受付部２０がユーザーから受け
付ける。
【０１５６】
この場合、送信リスト５３３を受信したデータ管理サーバー５のデータ通信制御部５１
は、追加された送信エントリーに対応する受信エントリーを受信リスト５３４に追加する
際、送信エントリーの追加的な条件を受信エントリーにも含める。
【０１５７】
また、宛先の複合機２のデータ通信制御部２４は、受信ステータス５３４２が「受信：
受付」の受信エントリーを特定するとともに、該受信エントリーに含まれる追加的な条件
に従って受信データを処理する。例えば、有効期限が現在日時を経過している場合、受信
データの受信を行わない。また、有効期限が現在日時を経過していない場合において、例
えば、強制印刷フラグがＯＮに設定されている場合、データ通信制御部２４は、予め設定
された受信データの処理方法に関わらず、受信データの印刷を印刷制御部２２に指示する
。印刷条件フラグがＯＮの場合は、受信エントリーに含まれる印刷条件に従って印刷を実
行するように印刷制御部２２に指示する。保存許可フラグがＯＦＦに設定されている場合
、データ通信制御部２４は、ＲＡＭ２２０に保存しない（受信しない）、又は、受信デー
タを印刷後ＲＡＭ２２０から自動的に削除する。
【０１５８】
また、例えば、送信リスト５３３、受信リスト５３４やブラックリスト５３６を、複合
機２とデータ管理サーバー５の間で送受信せずに、送信エントリー、受信エントリーやブ
ラックリストのエントリーを送受信するようにしてもよい。
【０１５９】
この場合、複合機２のデータ通信制御部２４は、生成した送信エントリーをデータ管理
サーバー５に送信する。データ管理サーバー５のデータ通信制御部５１は、受信した送信
エントリーを対応する送信リスト５３３に追加するとともに、当該送信エントリーの宛先
の受信リスト５３４にも受信エントリーを追加する。また、データ管理サーバー５のデー
タ通信制御部５１は、受信ステータス５３４２が「受信：受付」の受信エントリーを複合
機２の要求に応じて送信する。また、複合機２のデータ通信制御部２４は、受信ステータ
ス５３４２を変更した受信エントリーをデータ管理サーバー５に送信する。データ管理サ
ーバー５のデータ通信制御部５１は、受信した受信エントリーで、対応する受信リスト５
３４の受信エントリーを更新する。また、データ通信制御部２４は、生成したブラックリ
ストのエントリーをデータ管理サーバー５に送信する。データ管理サーバー５のデータ通
信制御部５１は、受信したブラックリストのエントリーを対応するブラックリスト５３６
に追加する
【０１６０】
また、例えば、送信リスト５３３、受信リスト５３４、及びブラックリスト５３６を、
複合機２においても管理するようにしてもよい。この場合、複合機２のデータ通信制御部
２４は、送信エントリーをデータ管理サーバー５の送信リスト５３３に追加するとともに
、自身の送信リストにも追加する。また、データ管理サーバー５のデータ通信制御部５１
は、受信ステータス５３４２が「受信：受付」の受信エントリーを複合機２の要求に応じ
て送信する。複合機２のデータ通信制御部２４は、受信した受信エントリーを、自身の受
信リストに追加する。
【０１６１】
また、複合機２のデータ通信制御部２４は、データ管理サーバー５の受信リスト５３４
の受信エントリーの受信ステータス５３４２を「受信：保存」、「受信：印刷」、「受信
：削除」、又は「受信：拒否」に変更するとともに、自身の受信リストの受信エントリー
の受信ステータスも変更する。また、データ管理サーバー５のデータ通信制御部５１は、
送信エントリーの送信ステータス５３３２を「送信：受付」から「送信：完了」に変更し
た場合、当該送信エントリーを送信元の複合機２に通知する。複合機２のデータ通信制御
部２４は、受信した送信エントリーにより、自身の送信リストの対応する送信エントリー
を更新する。
【０１６２】
また、複合機２のデータ通信制御部２４は、エントリーをデータ管理サーバー５のブラ
ックリスト５３６に追加するとともに、自身のブラックリストにも追加する。
【０１６３】
また、例えば、データ管理サーバー５のデータ通信制御部５１は、複合機２から送信リ
スト５３３を受信した際（当該送信リスト５３３でユーザーデータベース５３の送信リス
ト５３３を更新する前）に、当該送信リスト５３３に追加された送信エントリーに対して
、当該送信エントリーの宛先ＩＤに対応するブラックリスト５３３を適用してもよい。こ
の場合、データ通信制御部５１は、ブラックリスト５３３に一致した送信エントリーをユ
ーザーデータベース５３の送信リスト５３３及び受信リスト５３４に追加せず、また、送
信データの受信を行わない。
【０１６４】
また、例えば、データ管理サーバー５のデータ通信制御部５１は、ユーザーデータベー
ス５３の送信リスト５３３に追加された送信エントリーに対応する受信エントリーを受信
リスト５３４に追加する際に、当該送信リスト５３３に追加された送信エントリーに対し
てブラックリスト５３３を適用してもよい。この場合、データ通信制御部５１は、ブラッ
クリスト５３３に一致した送信エントリーに対応する受信エントリーを受信リスト５３４
に追加せず、また、送信データの受信を行わない。送信エントリーを削除してもよい。
【０１６５】
また、複合機２が自身のブラックリストを備え、データ通信制御部２４が受信エントリ
ーを受信したとき又は受信データを受信したときに、ブラックリストを適用するようにし
てもよい。この場合、複合機２のデータ通信制御部２４は、受信リスト５３４を受信した
際、受信ステータスが「受信：受付」の受信エントリーについて、ブラックリストと一致
するか否かを判定する。そして、受信エントリーがブラックリストと一致した場合、当該
受信エントリーの受信ステータスを予め定められた設定に従って「拒否」もしくは「削除
」に変更する、又は、受信エントリーを削除する。そして、受信データの受信を行わない
。
【０１６６】
以上、本発明の第一実施形態について説明した。本実施形態によれば、より利便性を高
めた、端末間の画像データの送受信を行うことができる。
【０１６７】
すなわち、本実施形態では、送信データはサーバーに一時的格納され、サーバーにより
宛先の端末に送信される。このような構成により、インターネットのようなネットワーク
上でファクシミリのように特定の端末間でデータを送受信することができる。
【０１６８】
また、本実施形態では、サーバー及び端末の少なくとも一方において送信リスト及び受
信リストが管理されている。このような構成により、例えば、送信が完了したか否か、受
信すべきがデータがあるか否かなどの情報を簡単に取得することができる。
【０１６９】
また、本実施形態では、サーバー及び端末の少なくとも一方において送信データ又は受
信データに対して、ブラックリストが適用することができる。このような構成により、ユ
ーザーは、例えば、指定した条件に一致するデータを受信しないようにすることができる
。
【符号の説明】
【０１７０】
１：データ通信システム、２：複合機、３：ＬＡＮ、４：ＳＩＰサーバー、５：データ管
理サーバー、６：インターネット、
２０：操作受付部、２１：読取制御部、２２：印刷制御部、２３：呼制御部、２４：デー
タ通信制御部、
５０：呼制御部、５１：データ通信制御部、５２：記憶部、５３：ユーザーデータベース
、
５３１：ユーザーＩＤ、５３２：アクセス先リスト、５３３：送信リスト、５３４：受信
リスト、５３５：受信データ格納領域、５３６：ブラックリスト、５３２０：送信リスト
ＵＲＩ、５３２１：受信リストＵＲＩ、５３３０：送信エントリーＩＤ、５３３１：宛先
ＩＤ、５３３２：送信ステータス、５３３３：送信データＵＲＩ、５３４０：受信エント
リーＩＤ、５３４１：送信元ＩＤ、５３４２：受信ステータス、５３４３：受信データＵ
ＲＩ、５３６０：エントリーＩＤ、５３６１：送信元ＩＤ、
２００：コントローラー、２１０：ＣＰＵ、２２０：ＲＡＭ、２３０：ＲＯＭ、２４０：
操作パネル、２５０：読取エンジン、２６０：印刷エンジン、２７０：ネットワークＩ／
Ｆ、
５００：ＣＰＵ、５１０：ＲＡＭ、５２０：ＲＯＭ、５３０：補助記憶装置、５４０：メ
ディア読み書き装置、５５０：ネットワークＩ／Ｆ、５６０：ＵＳＢ  Ｉ／Ｆ、５７０：
入力装置、５８０：出力装置
【図１】
2012039205.tif 000003
【図２】
2012039205.tif 000004
【図３】
2012039205.tif 000005
【図４】
2012039205.tif 000006
【図５】
2012039205.tif 000007
【図６】
2012039205.tif 000008
【図７】
2012039205.tif 000009
【図８】
2012039205.tif 000010
【図９】
2012039205.tif 000011
【図１０】
2012039205.tif 000012